(57)【要約】【課題】生産と生活の基礎となる構造物の製造に当って生態系環境を富化し地域の資源再生機構をもたせる。【解決手段】  本発明による生産と生活を支える構造物は、イオン化傾向の強い物質を選択して基剤として、それに粘土で増量してバインダー化し骨材には地域に産する資源を活用再生して、地域に根ざし調和する環境機能性を富化するべく技術を積み重ねて製造する。即ちバインダー基剤にはＪＡＳに近づけ適合する物質を選び、生態系機能性に富む物質と液剤と土着の粘土を加えて攪拌泥状化しバインダーとする。骨材には地域に産する土壌  或いは再生資源を加え混練して成体化し、有意の加熱のもとで効率的な水和反応の養生せしめて固化させる。固化後構造体表面にホウ酸水溶液を塗付してガスバーナーで１０００℃以上の高温処理をし、表面２〜３センチをガラス上結晶のファインセラミック化し強固な構造にすると共に内部の有意の物質が徐々に浸食放出される。含浸作用をもたらせ環境機能性の富化に貢献する構造物の製造法。【特許請求の範囲】
【請求項１】
Ｍｇ．Ｎａ．Ｋ．Ｃａの如きイオン化傾向の大きい物質が、それぞれ硫酸或いは塩酸と結合し安定して存在する硫酸マグネシウム  塩化ナトリウム  塩化カリウム  塩化カルシウムと水酸化カルシウムを必須に、有意のリン酸シリカや多種のミネラル資剤を加え混合したものを固化剤Ａとし、製造現場で粘土類を有意に加え、不飽和構造の外に多面な特性をもつ特殊腐食物質抽出希薄液を加えて充分に攪拌して泥状バインダーの土壌硬化剤Ｂにする。
そのＢに構造物目的に合わせた土壌或いは骨材を加えて充分に混練した後  有意の成型体を維持してイオン化を推進させ、充分に水和反応の養生をさせて固化構造体とする。
養生させ固化した構造体表面にホウ酸溶解液を塗付し、ガスバーナー等で高温処理することによって表層２〜３センチがガラス状結晶のファインセラミック化して強固な構造物となり、構造物内部の有意の物質が少しづつ侵食され放出される含浸作用の機能をもつに至り。環境機能性を富化する機能を有する構造物と成る機構構造であることを特徴とする環境機能性再生構造物の製造。
【発明の詳細な説明】
【技術分野】
【００１】  本発明は物理的環境維持構造物に生態系機能を保持させることを目指した構造物の製造に関するものである。
【背景技術】
【００２】  現代社会を支える土台とも云えるコンクリート構造物は石灰岩と粘土類をベースとする焼成物とも云えるセメントをバインダーとし、骨材と混合し有意量の水で混練して充分な水和反応をせしめて凝結して成るものである。
【非特許文献１】コンクリートのはなし  −技報出版社（１９９３年）−
【００３】  土をベースとした固化構造物も数多い。
【非特許文献２】
【非特許文献３】
【課題を解決するための手段】
【００４】  生態系機能性を富化する特性を多く持つ特殊腐植物質の活用−その特性と抽出製造法。
【非特許文献４】特殊腐植物質の特性−宮島徹−日本特殊腐植物質学会長（佐賀大学教授）
【特許文献１】特殊腐植物質の特性を活かした環境保全型燃焼焼法−特願２００２−３５３０９８
【発明の効果】
【００５】  本願で用いる原料のうち自然界に存在する有機燐酸はマドラグアノと呼びインドネシアから産出する。珊瑚礁に蓄積した有機燐酸質が隆起と沈下を繰り返す長い年月をかけて出来た珊瑚燐酸とも呼ぶリン酸２４％、カルシウム３３％、ケイ酸１２％、ミネラル多種の組成であるが、それを施用した牧草やデントコーンの硝酸態窒素測定で対象区の２５％〜１０％に低下した実績をもつ生態系維持機能力が大きく、水和反応過程でコロイドの拡大による凝固安全化と含浸作用効果に関与する。
【非特許文献５】北海道北根室普及協議会比較試験報告書−２００１−
【００６】  本願構造物の構造強化と侵食防止と含浸機能化にホウ酸塗付と高温加熱処理の物質変化を知る。
【非特許文献６】ホウ酸を用いた金属表面硬化処理法（ボロン処理）−岩手製鉄（株）−
【発明を開示】
【発明が解決しようとする課題】
【００７】  生産と生活を支える自然界を補完する構造物はコンクリート等を土台とした人口の構造物が多い。本発明者等は、その分野において非コンクリートで生活圏環境の資源を活用し生態系維持機能を富化しながら自然界を補完する構造物を創出する技術を開発しようとするものである。
【課題を解決しようとするための手段】
【００８】  異種材料を組み合わせ、それぞれの目的に合わせた構造物に固化する方法は色々に開発されているが、構造物の機能に前項の目標機能を付加する為に、原料に環境生態系に優しく且つ水和凝固と云う化学反応を誘起する機能を併せ持つものを選択し、その反応を効果的に進行させる手段の一体的構成を目指し、手段と結果のコストを社会的に成り立つ体系の開発にたどりついた。
【００９】  化学反応は冷徹である。本願技術はその変化反応の基本である物質のもつ電子の特性と法則と云う次元からの考察に基いて組み立てられたものである。本技術の基本となる物質は、効率的に化学反応を誘起し且つその結果が生態系の維持増進に貢献し、増量する資材は地域に根ざした再生利用可能なものから構成されており目的と結果は一貫的整合性を保っている。
【００１０】  前項の考察と選択に基づいた具体的手段について述べる。
▲１▼硫酸マグネシウムと塩化ナトリウムと塩化カリウムと塩化カルシウムの安定して存在しているものを必須に有意の多成分ミネラル含有剤を加えて混合した固化基剤Ａとする。
▲２▼固化基剤Ａに製造現場で地域に産出する粘土類と若干の酸を有意に加え、更に不飽和構造の外に多面な特性をもつ特殊腐植物質抽出希釈液を加えて充分に混合攪拌して泥状バインダーとなる土壌硬化剤Ｂにする。
▲３▼そのバインダーに構造目的に合わせた土壌或いは骨材を加えて充分に混錬した後  剥離剤を塗った有意の型枠に充填して成型体を維持し有意の加温のもとでイオン化を進展させ充分な水和反応の養生をさせて固化構造体とする。
▲４▼固化した構造体表面にホウ酸水溶液を塗付し、ガスバーナー等で１０００℃以上の高温処理することによって表層２〜３センチがガラス状結晶のファインセラミック化して強固な構造物となると共に、構造物内部の有意の物質が少しづつ侵食放出される含浸作用構造物となり、あらゆる場所における環境機能性を富化する機能をもつ構造物となる。具体的配合比は実施例にて示す。
【発明の効果】
【００１１】  生産と生活をとりまく生態系のアンバランスの課題がとりあげられて久しく、一方では物理的自然環境保全の工作物も段々増加している。本願が二律相反する要件を両立させ、生産と生活環境の生態系機能を富化する次元で鋭意開発した発明はどれ程の社会貢献になるか数字的予測は困難な程大きい。
土産の資源を再生利用するビジョンは数多く提案されているが、その基本となる技術の提案は少なかった。山の頂上から海までの資源バイオマスを再生し循環する産業の基盤づくりの一つとして山の木材を炭化し、海のカキ殻を骨材として地域の山土を土壌固化剤Ｂをバインダーとして混練成型して仕上げた漁礁、海草礁等は、正に山の頂上と海をつなぎ海産物基盤を富化する代表的なものである。コンクリートの固形体と異なる直接的な生産環境を富化するものである。河川汚染の構造物も周辺の草を繁らせ川苔を豊かにする。陸上における構造物にしても、水田畦畔の固化から始まり、傾斜々面保護構造物や簡易舗装等の外、含浸作用機能を利用する住宅内外壁等々の利用は化学建材のもたらす住環境汚染と対象的に住居環境の富化の健康に貢献する例である。
【００１２】  前項効果にあげた利用分野は広い。イオン化の強い物質をベースとした。しかも環境富化物質をとじ込めた構造物は周辺の生態系環境を富化すると云う本来の自然界に近づけるもので、再生する資源は多くの人々の連帯の輪を広げることによって初めて活用されることになる。
【実施例】
【００１３】以下実施例について詳述する。
本技術は固化基剤Ａを基本とし、現場で土壌固化基剤Ｂに加工した上で、目的構造物に合わせた骨材を加えて混錬し成型体化し、固化体表面にホウ酸を塗付し高温処理して完成すると云う工程で実施する。固化剤Ａは、ほぼ共通である。【００１４】  固化基剤Ａの原料と特性について述べる。
▲１▼塩化カルシウム−サニーキーパー−（食品用）▲２▼塩化ナトリウム−天日塩−▲３▼硫酸マグネシウム−肥料用−▲４▼塩化カリウム−肥料−▲５▼マドラグアノ微粉−（非特許文献５）の通り天然のリン酸カルシウムシリカの外多様なミネラルを含有する生態系機能性の高い肥料として流通している。以上を混合し防湿包装して流通する。【００１５】固化基剤Ａの配合例を示す。
▲１▼塩化カルシウム  （ＣａＣｌ２  ７４，１％）                    −１０％
▲２▼塩化ナトリウム  （Ｎａ  ３８．６％  Ｃｌ  ５９．６％）        −２０％
▲３▼硫酸マグネシウム（苦土  ２７．１％  硫酸  ５６．８％）        −２０％
▲４▼塩化カリウム    （Ｋｃｌ  ７４．５％）                        −３０％
▲５▼マドラグアノ    （Ｐ２Ｏ５  ２２％  Ｃａ  ３５％  Ｓｉ  ６％）−２０％【００１６】  固化基剤Ａに現場で粘土微粉を加え特殊腐植物抽出液マリネックス（（株）エスシーアクト・東京都千代田区富士見）の５００倍液を固化基剤Ａと加える粘土類との合計量の４０％を加えて充分に攪拌して泥状のバインダーとし土壌固化剤Ｂとする。マリネックスは（特許文献７）の如くして抽出しＰＨ２．５まで酸発酵し多様な成分で構成され、不飽溝造で塩基置機能が大きい特性をもっている中で、カルボシキル基やフェノール性水酸基を多量に持っており金属イオンと結合しこれ等の泥殿を可能化し、又鉄イオンの環境化学的働きについては特にフルボ酸の鉄キレート生成の可能性があり、土壌固化剤Ｂに及ぶイオン化促進に貢献する。
この処理は触媒機能によって基剤の活性化エネルギーの丘越えを安易にしてイオン化を促進し強力な凝固力を付与する。
固化構造体の組成は次の通り。
固化基剤の組成・・５種混合２０％粘土３０％にマリネックス希釈液（５００倍液）で泥状にし骨材（カキ殻等）３０％木炭２０％合計１００％とする。
水和反応には水素も関与するので充分な水分がなければ完結し得ない。充分な水分供給して水和反応を進行させるために加熱も必要。【００１７】  土壌固化剤Ｂに例えばカキ殻粗砕物や木炭粗砕物の有意量を加え充分に混練して内面に剥離剤を塗付した有意の型枠に充填して成型体化し、有意の加熱のもとで充分な水和反応養生をさせて固化体とする。【００１８】  充分に固化した構造体表面に２５％のホウ酸水溶液を塗付して、ガスバーナー等で１０００℃以上に加熱し表層２〜３センチをガラス状結晶のファインセラミック化して強力な構造物とすると共に、閉じ込められたマリネックスのフルボ酸類やマドラグアノの環境機能性成分が浸食放散される含浸構造物に仕上げる。この固化構造物は例えば海中浅瀬に沈められると微生物のバイオリアクターとなりプランクトンの発生源となって漁礁や海草礁的基盤となる。【００１９】  前記実施例は基本となるものであるが固化基剤をもとして種々の利用法がある。
○水田畦畔には固化剤Ａを畦塗り機械前部の基剤供給機で１０％相当量を撒布施用し土壌と混和し本格的水分供給は降雨を受けて行われ水和反応して固化する。
○簡易舗装的に土に直接利用するには畦塗り方式に準ずる。
○居宅の壁塗りには土壌固化剤Ｂ方式を準ずる。
○建材的加工には土壌固化剤Ｂを硬めに練り比較高温下で成型と養生を行い固化した段階でホウ酸溶液を塗ってプラズマ加熱の連続加工も可能で、香り剤も混合して含浸作用構造物的加工で居住空間の健康快適化も期待される。
○陸上の表面保全構造物には（００１７）の骨材増量段階の工夫で対処が可能で生態系環境保全に貢献出来る。
【産業上の利用可能性】
【００２０】  改めて本発明の内容と産業との関係と意義を検証する。
使用するイオン化傾向の強い資剤は生態系環境にとって栄養源となる側面も考慮して多種を選択して機能成果とのバランスをとり、加えてリン酸シリカや豊富なミネラルを含む天然資剤を加えて固化基剤とした。
増量する粘土は地域土産土のものを用いて地域の資質を注入し泥状化する水分には、不飽和構造性で塩基置換能が高く環境浄化力の強い特殊腐植物抽出希釈液を用いて触媒機能的な相乗効果でイオン化を促進させ土壌固化剤であるバインダーとする。
更に増量する骨材には土産土の土壌や生産副産物再生材や地域産の木質炭化材を加えて効率の良い水和反応を進行させて固化体とし、その表面にホウ酸液を塗付して高温処理して表層をガラス質結晶化して強固な構造物に完成すると同時に用いた資剤の有効成分が環境に徐々に放散される含浸機能を保持させるものである。換言すれば環境機能性を再生される構造物にする為に生態系の栄養源富化と水和反応と云う化学反応を効率的に進展させる創意的な手段を構築したものである。【００２１】  例えば実地例にあげた骨材にカキ殻と木炭を用いた漁礁、海草礁  或いは河川の保護構造物に用いれば、漁礁・海草・水苔の増殖に貢献し、流水  海水沈泥の栄養富化汚染源を上流生態系の栄養源に転換して、環境浄化と生産に貢献すると云う地球規模での生産と環境浄化の基礎と成る如き広大な社会環境産業への一側面を拓く。